(57)【特許請求の範囲】
【請求項１】
ケース及びバッグのプルロッドスイッチの改良構造であって、
スイッチ本体、弾性部材、挿脚部及びストッパーを備え、
前記スイッチ本体には、側面に開口が設けられたキャビティ、前記スイッチ本体の頂部から下へ前記キャビティまで延伸する垂直ガイド機構及び上面に設けられた凹溝が設けられ、前記弾性部材は前記凹溝内に設けられ、
前記挿脚部は、スライド部、受力部及びバックルを有し、前記受力部は前記弾性部材の頂部に位置し、前記スライド部は、前記受力部から下へ延伸し、前記垂直ガイド機構を通って前記開口の側部まで延伸し、且つ、垂直方向のみに沿って移動することができ、前記バックルは前記スライド部の底端に位置し、
前記ストッパーは、前記キャビティ内に設けられているとともに前記開口を介して前記キャビティから突出することができ、前記ストッパーの前記スライド部に向かう側部にスライド溝が設けられ、前記スライド溝は上部の垂直部及び下部の傾斜部を有し、前記傾斜部は下から上へ前記開口から離れる方向に傾斜し、前記傾斜部の頂部は前記垂直部の底部に連結され、前記バックルは前記スライド溝内に挿入され、
前記受力部が押圧されていないとき、前記弾性部材は前記受力部により前記挿脚部全体を押し上げ、前記バックルは前記垂直部の先端に位置し、前記ストッパーは前記開口から突出することを特徴とするケース及びバッグのプルロッドスイッチの改良構造。
【請求項２】
前記垂直ガイド機構はガイド溝であり、前記ガイド溝は前記スイッチ本体の頂部から底部まで延伸し、前記キャビティに連通していることを特徴とする請求項１に記載のケース及びバッグのプルロッドスイッチの改良構造。
【請求項３】
前記垂直ガイド機構は２つであり、且つ、前記キャビティに対して対称設置され、前記スライド部も２つであり、前記受力部の両側に対称設置され、各前記スライド部はそれぞれ一つの前記垂直ガイド機構内に入り、各前記スライド部にいずれも前記バックルが設けられていることを特徴とする請求項１に記載のケース及びバッグのプルロッドスイッチの改良構造。
【請求項４】
前記スライド部、前記受力部及び前記バックルは、「Π」形の挿脚部を構成することを特徴とする請求項３に記載のケース及びバッグのプルロッドスイッチの改良構造。
【請求項５】
前記ストッパーの、前記開口に向かう一方の側にストッパー突起が設けられていることを特徴とする請求項１乃至４のいずれか一項に記載のケース及びバッグのプルロッドスイッチの改良構造。
【請求項６】
前記弾性部材はバネであることを特徴とする請求項１乃至４のいずれか一項に記載のケース及びバッグのプルロッドスイッチの改良構造。
【請求項７】
前記ストッパーは金属材質であることを特徴とする請求項１乃至４のいずれか一項に記載のケース及びバッグのプルロッドスイッチの改良構造。
【請求項８】
前記挿脚部はプラスチック材質であることを特徴とする請求項１乃至４のいずれか一項に記載のケース及びバッグのプルロッドスイッチの改良構造。
【請求項９】
前記スイッチ本体はプラスチック材質であることを特徴とする請求項１乃至４のいずれか一項に記載のケース及びバッグのプルロッドスイッチの改良構造。
【発明の詳細な説明】
【技術分野】
【０００１】
本発明は旅行用品の分野に関し、特にケース及びバッグのプルロッドスイッチの改良構造に関する。
【背景技術】
【０００２】
現在、自在輪付きのプルロッドケース及びプルロッドバッグは、既に人々が旅に出かける際に必要なものになっている。普通なプルロッドケース及びプルロッドバッグのプルロッドは、スイッチのストッパーが外力によって内へ退避しやすく、特に使用者がプルロッドケース又はプルロッドバッグをプッシュしながら歩いたり、プルロッドケース又はプルロッドバッグに寄りかかって休憩したりする時、プルロッドが退避したり折れたりしやすく、プルロッドの使用寿命に影響するだけでなく、プルロッドケース及びプルロッドバッグの使用者に対して、命に関わる危険性をもたらす。
【発明の概要】
【発明が解決しようとする課題】
【０００３】
本発明はケース及びバッグのプルロッドスイッチの改良構造を提供し、上記問題を効果的に解決することができる。
【課題を解決するための手段】
【０００４】
本発明により提供されるケース及びバッグのプルロッドスイッチの改良構造は、スイッチ本体、弾性部材、挿脚部及びストッパーを備え、前記スイッチ本体には、側面に開口が設けられたキャビティ、前記スイッチ本体の頂部から下へ前記キャビティまで延伸する垂直ガイド機構及び上面に設けられた凹溝が設けられ、前記弾性部材は前記凹溝内に設けられ、前記挿脚部は、スライド部、受力部及びバックルを有し、前記受力部は前記弾性部材の頂部に位置し、前記スライド部は、前記受力部から下へ延伸し、前記垂直ガイド機構を通って前記開口の側部まで延伸し、且つ、垂直方向のみに沿って移動することができ、前記バックルは前記スライド部の底端に位置し、前記ストッパーは前記キャビティ内に設けられているとともに、前記開口を介して前記キャビティから突出することができ、前記ストッパーの、前記スライド部に向かう側部にスライド溝が設けられ、前記スライド溝は上部の垂直部及び下部の傾斜部を有し、前記傾斜部は下から上へ前記開口から離れる方向に傾斜し、前記傾斜部の頂部は前記垂直部の底部に連結され、前記バックルは前記スライド溝内に挿入されている。
【０００５】
好ましくは、前記ガイド機構はガイド溝であり、前記ガイド溝は前記スイッチ本体の頂部から底部まで延伸し、前記キャビティに連通している。
【０００６】
好ましくは、前記垂直ガイド機構は２つであり、且つ、前記キャビティに対して対称設置され、前記スライド部も２つであり、前記受力部の両側に対称設置され、各前記スライド部はそれぞれ一つの前記垂直ガイド機構内に入り、各前記スライド部にいずれも前記バックルが設けられている。
【０００７】
好ましくは、前記スライド部、前記受力部及び前記バックルは、「Π」形の挿脚部を構成する。
【０００８】
好ましくは、前記ストッパーの、前記開口に向かう一方の側にストッパー突起が設けられている。
【０００９】
好ましくは、前記弾性部材はバネである。
【００１０】
好ましくは、前記ストッパーは金属材質である。
【００１１】
好ましくは、前記挿脚部はプラスチック材質である。
【００１２】
好ましくは、前記スイッチ本体はプラスチック材質である。
【発明の効果】
【００１３】
本発明により提供される技術方案は、以下の有益な効果を奏することができる。
【００１４】
本発明により提供されるケース及びバッグのプルロッドスイッチの改良構造は、凹溝内に設けられた弾性部材で挿脚部に押し当てることで、ストッパーを常に突出状態とすることができ、ストッパーが外力によってキャビティ内に退避することなく、安全性を向上させる。
【００１５】
理解すべきなのは、以上の一般的な記載及び以下の詳細な記載は例示的なものに過ぎず、本発明を制限するものではない。
【図面の簡単な説明】
【００１６】
【図１】本発明の実施例により提供されるケース及びバッグのプルロッドスイッチの改良構造が自然状態にある場合の全体構造を示す模式図である。
【図２】本発明の実施例により提供される挿脚部の構造を示す模式図である。
【図３】本発明の実施例により提供されるストッパーの構造を示す模式図である。
【図４】図１の側面視内部構造を示す模式図である。
【図５】本発明の実施例により提供されるケース及びバッグのプルロッドスイッチの改良構造が押圧されている状態にある場合の全体構造を示す模式図である。
【図６】図５の側面視内部構造を示す模式図である。
【発明を実施するための形態】
【００１７】
ここの図面は、明細書に含まれており、本明細書の一部を構成し、本発明に適切な実施例を示し、明細書とともに本発明の原理を解釈するためのものである。
【００１８】
以下、具体的な実施例に基づき、図面を参照しながら本発明を更に詳しく説明する。名細書に記載の「前」、「後ろ」、「左」、「右」、「上」、「下」はいずれも図面におけるケース及びバッグのプルロッドスイッチの改良構造の配置状態を基準とする。
【００１９】
図１に示すように、本発明の実施例は、スイッチ本体１、弾性部材２、挿脚部３及びストッパー４を備えるケース及びバッグのプルロッドスイッチの改良構造を提供する。スイッチ本体１には、頂部から下へ延伸する垂直ガイド機構５が設けられ、スイッチ本体１に、側面に開口が設けられたキャビティ６が設けられ、垂直ガイド機構５は、キャビティ６まで延伸する。また、スイッチ本体１の上面に凹溝７がさらに設けられ、弾性部材２は凹溝７内に設けられている。
【００２０】
図２に示すように、挿脚部３は、スライド部３０、受力部３２及びバックル３４を有し、受力部３２は弾性部材２の頂部に位置し、スライド部３０は、受力部３２から下へ延伸し、垂直ガイド機構５を通って開口の側部まで延伸する。垂直ガイド機構５による制限によって、スライド部３０は垂直方向のみに沿って移動することができ、バックル３４はスライド部３０の底端に位置する。
【００２１】
ストッパー４はキャビティ６内に設けられているとともに、開口を介してキャビティ６から突出することができ、ストッパー４の、スライド部３０に向かう側部にスライド溝８が設けられている。図３に示すように、スライド溝８は上部の垂直部８０及び下部の傾斜部８２を有し、傾斜部８２は下から上へ開口から離れる方向に傾斜し、傾斜部８２の頂部は垂直部８０の底部に連結され、バックル３４はスライド溝内に挿入されている。
【００２２】
図１及び図４に示すように、自然状態において、弾性部材２は、受力部３２により挿脚部３全体を押し上げ、バックル３４は垂直部８０の先端の近くに位置し、このとき、ストッパー４は開口から突出する状態にあり、挿脚部３が垂直方向のみに沿って移動することができ、ストッパー４の動く方向が挿脚部３に垂直するため、ストッパー４は挿脚部３を押して動かすことができず、挿脚部３は、ストッパー４が退避することを制限し、ケース及びバッグのプルロッドは常に突出状態にある。
【００２３】
図５及び図６に示すように、プルロッドを収納し、又は調整する必要がある時、受力部３２が押圧されると、挿脚部３は下へ移動し、それとともに、バックル３４も垂直部８０に沿って下へスライドし、バックル３４が傾斜部８２まで移動したとき、傾斜部８２が斜め方向に設けられているため、バックル３４の垂直移動は、ストッパー４をキャビティ６の内部へ退避させる。
【００２４】
したがって、受力部３２が押圧されない限り、ストッパー４は外力によってキャビティ内へ退避することがなく、ケース及びバッグのプルロッドの使用寿命及び使用上の安全性を効果的に向上させる。
【００２５】
弾性部材２として、バネを用いることができ、この場合、バネの構造に合わせるように、凹溝７を円形凹溝にしてもよい。
【００２６】
本実施例において、挿脚部３の装着を便利にするために、垂直ガイド機構５をガイド溝として設置してもよく、ガイド溝はスイッチ本体１の頂部から底部まで延伸し、キャビティに連通している。このように、挿脚部３のスライド部３０は、直接にスイッチ本体１の頂部から入ることができ、バックル３４を側面の方向にスライド溝内に入れることができる。
【００２７】
ストッパー４の両側が受ける力を均衡にするために、好ましくは、垂直ガイド機構５は２つであり、且つキャビティ６に対して対称設置され、スライド部３０も２つであり、受力部３２の両側に対称設置され、各スライド部３０はそれぞれ一つの垂直ガイド機構５内に入り、各スライド部３０にいずれもバックル３４が設けられている。ここで、スライド部３０、受力部３２及びバックル３４は「Π」形の挿脚部を構成することができる（図２を参照）。また、装着を便利にするために、挿脚部３としては、一定の弾性を有するプラスチック材質を用いることができる。
【００２８】
図３に示すように、体積を小さくするために、ストッパー４の、開口に向かう一方の側に一つのストッパー突起４０を設けてもよく、ストッパー４は常にキャビティ６の内部に位置することができ、ストッパー突起４０がキャビティ６から突出することにより、プルロッドを止めることができる。強度を高めるために、ストッパー４としては、金属材質を用いることができ、スイッチ本体１としては、プルロッドを引いたり、収納したりする際に管の内壁との摩擦による音が低いプラスチック材質を用いることができる。
【００２９】
本発明により提供されるケース及びバッグのプルロッドスイッチの改良構造は、ケース及びバッグのプルロッドの使用寿命及び安全性を向上させ、構造が簡単であり、使用が便利である。
【００３０】
以上に記載されたものは本発明の好ましい実施例に過ぎず、本発明を限定するものではない。当業者にとって、本発明に各種の修正や変更を行うことができる。本発明の精神と原則から逸脱しない限り、行われた補正、等価置換や改良などは、すべて本発明の保護範囲に含まれるべきである。
【符号の説明】
【００３１】
１    スイッチ本体
２    弾性部材
３    挿脚部
３０  スライド部
３２  受力部
３４  バックル
４    ストッパー
４０  ストッパー突起
５    垂直ガイド機構
６    キャビティ
７    凹溝
８    スライド溝
８０  垂直部
８２  傾斜部
【図１】
0006708549.tif 000002
【図２】
0006708549.tif 000003
【図３】
0006708549.tif 000004
【図４】
0006708549.tif 000005
【図５】
0006708549.tif 000006
【図６】
0006708549.tif 000007